(57)【特許請求の範囲】
【請求項１】
打撃軸線（Ａ）に沿って少なくとも部分的に打撃および回転する手工具装置であって、振動する打撃機構組立体（２）に関して振動絶縁しモータ制御のためのモータスイッチ（５）を設けた案内ハンドグリップ（４）を有し、このモータスイッチ（５）をロックするためのロックスイッチ（７）を設け、このロックスイッチ（７）を切替え領域（Ｘ）内に変位可能とし、打撃機構組立体（２）に動作モード切替えスイッチ（３）を設け、この動作モード切替えスイッチ（３）によってストッパ（１０）を有する切替えロッド（９）を変位し、このストッパ（１０）を回転動作モードにおいて切替え領域（Ｘ）内に突出させる、該手工具装置において、切替えロッド（９）を曲げて２個の脚部（１６ａ，１６ｂ）を有するよう構成し、曲げ剛性のある一方の脚部（１６ａ）によってストッパを構成し、かつ打撃機構組立体（２）における回旋点（１７）に旋回可能に支持し、動作モード選択スイッチ（３）に連結し、軸線方向に延在する他方の脚部（１６ｂ）を、屈曲しやすい構成にしたことを特徴とする手工具装置。
【請求項２】
請求項１記載の装置において、屈曲しやすいように構成した脚部（１６ｂ）の曲折部（１８）近傍に薄肉ヒンジ（１９）部を設けた手工具装置。
【請求項３】
請求項１または２記載の装置において、屈曲しやすいように構成した脚部（１６ｂ）における動作モード切替えスイッチ（３）との連結部付近に他の薄肉ヒンジ部を設けた手工具装置。  
【発明の詳細な説明】
【技術分野】
【０００１】
本発明は、少なくとも部分的に打撃および回転するコンビハンマーなどの手工具装置であって、チゼルモードのためにモータスイッチのロックスイッチを備えた手工具装置に関する。
【背景技術】
【０００２】
この種の打撃軸線に沿って打撃および回転する手工具装置では、案内ハンドグリップを打撃機構組立体に関して振動絶縁する。打撃のみを行うチゼルモードでは、通常はモータ制御のモータスイッチをスイッチ投入状態にロックスイッチによってロックするが、回転も行う他の作動モードにおいてはロックスイッチによってロックしない。打撃機構組立体にはさらに、モータ／打撃機構を組み合わせた組立体またはモータ／伝動装置を組み合わせた組立体も含まれることを理解されたい。
【０００３】
特許文献１（独国特許出願公開第１００３４７６８号）には、打撃機構組立体に関して振動絶縁して構成した案内ハンドグリップが記載されている。この場合、モータスイッチのためのロックスイッチを、（適切な操作の場合）案内ハンドグリップのあぶみ状グリップ下側部分に、多部分構成のヒンジ連結支持した係止クランプとして構成し、打撃機構組立体の回転変位可能な動作モード選択スイッチに連結する。この種の解決方法は技術的にコストがかかり、あぶみ状グリップの下側部分に自由空間を必要とする。
【０００４】
特許文献２（独国特許出願公開第１９９３７７６７号）には、打撃軸線に沿って振動し、案内ハンドグリップにモータスイッチを設けた手工具装置が記載されている。この案内ハンドグリップの（適切な操作の場合）あぶみ状グリップ上側部分にロックスイッチを設け、このロックスイッチによってモータスイッチを完全にスイッチ投入状態でロックする。ロックスイッチによるロックを制御するため、変位可能な強固な切替えロッドを、打撃機構組立体の回転変位可能な駆動モード切替えスイッチに偏心ディスクを介して連結し、この変位可能な強固な切替えロッドによって、ロックがチゼル駆動モードにおいてのみ可能となり、回転する他の駆動モードではロック不能となることを確実にする。
【特許文献１】独国特許出願公開第１００３４７６８号明細書
【特許文献２】独国特許出願公開第１９９３７７６７号明細書
【発明の開示】
【発明が解決しようとする課題】
【０００５】
本発明の課題は、振動絶縁した案内ハンドグリップに設けた、モータスイッチのためのロックスイッチを技術的に簡単に制御することにある。その他の課題は、切替えロッドをスペース節約できる構成にすることにある。
【課題を解決するための手段】
【０００６】
この課題は、特許請求の範囲における請求項１に記載の特徴により解決する。その他の好適な実施形態を従属項に記載する。
【０００７】
本発明によれば、打撃軸線に沿って少なくとも部分的に打撃および回転する手工具装置であって、振動する打撃機構組立体に関して振動絶縁しモータ制御のためのモータスイッチを設けた案内ハンドグリップを有し、このモータスイッチをロックするためのロックスイッチを設け、このロックスイッチを切替え領域内に変位可能とし、打撃機構組立体に動作モード切替えスイッチを設け、この動作モード切替えスイッチによってストッパを有する切替えロッドを変位し、このストッパを回転動作モードにおいて切替え領域内に突出させる、該手工具装置において、切替えロッドを曲げて２個の脚部を有するよう構成し、曲げ剛性のある一方の脚部によってストッパを構成し、かつ打撃機構組立体における回旋点に旋回可能に支持し、動作モード切替えスイッチに連結して軸線方向に延在させた他方の脚部を、屈曲しやすい構成にする。
【発明の効果】
【０００８】
ロック機能の制御を、ロックスイッチに連結しない分離したストッパによって行うことにより、打撃機構組立体に対して振動絶縁した案内ハンドグリップにおいても難なく、かつ技術的に簡単にロックできる。切替えロッドを回旋点に旋回可能に支持することにより、ストッパを設けた脚部のみ十分剛性のある構造にすればよく、他方の脚部は変形可能とすることにより、占有スペースおよび材料を節約できる。さらに、レバーヒンジによって偏心量に関してストッパの行程変換のてこ比が得られる。
【発明を実施するための最良の形態】
【０００９】
好適には、屈曲しやすいように構成した脚部の曲折部近傍に薄肉ヒンジを構成する。これにより、屈曲しやすい脚部を軸線方向に変位することによって生ずる角度変化を弾性的および、そのため損傷することなく吸収できる。
【００１０】
好適には、屈曲しやすいように構成した脚部の動作モード切替えスイッチとの連結部近傍に他の薄肉ヒンジを構成する。これにより、曲げ剛性のある脚部の旋回によって生ずる、屈曲しやすいように構成した脚部の角度変化を、弾性的および、そのため損傷することなく吸収できる。
【００１１】
次に、図面につき本発明の好適な実施例を説明する。
【実施例１】
【００１２】
図１には、打撃軸線Ａに沿って打撃および回転し、コンビハンマーとして構成した手工具装置１を示す。この手工具装置１は、回転および打撃を行う回転ドリルモードと打撃のみを行うチゼルモードとの間で回転変位可能な動作モード選択スイッチ３（図２）を備えた打撃機構組立体２に関して振動絶縁した案内ハンドグリップ４を有する。案内ハンドグリップ４にはモータ制御のためのモータスイッチ５を設け、このモータスイッチ５を、あぶみ状グリップ６における上側部分の上面に備え軸線方向に沿って変位可能なスライドとして構成したロックスイッチ７によって、スイッチ投入状態においてロック可能にする。
【００１３】
図２に示すように、チゼル動作モードに切替えた動作モード選択スイッチ３によって、偏心ディスク８を介して切替えロッド９を軸線方向に関して打撃機構側に変位させる。これによりストッパ１０がロックスイッチ７の切替え領域Ｘ内に突出しないため、ロックスイッチ７は、モータスイッチ５（図１参照）をロックするに十分大きく打撃機構側に変位できる。これに対し、（点線で示した）回転ドリルモードに切替えた動作モード選択スイッチ３によって、切替えロッド９をグリップ側に変位する。これによりストッパ１０がロックスイッチ７の切替え領域Ｘ内に突出するため、ロックスイッチ７はモータスイッチ５（図１）をロックするのに十分大きく打撃機構側に変位できない。このため、切替えロッド９を山形に曲げて２個の脚部１６ａ，１６ｂを有するよう構成し、曲げに対する補強（とくに横方向に対する補強）をした曲げ剛性のある脚部１６ａによってストッパ１０を構成するとともに、打撃機構組立体２（図１）の回旋点１７に偏心させて旋回可能に支持する。動作モード選択スイッチ３に連結した、軸線方向に延在する他方の脚部１６ｂを屈曲（とくに横方向変形）しやすいように構成し、曲折部１８および動作モード選択スイッチ３との連結部の近傍にそれぞれフィルム状ヒンジ１９を設ける。
【００１４】
図３に示すように、切替えロッド９を単一構造の、合成材料製の射出成形部材として構成する。
【図面の簡単な説明】
【００１５】
【図１】本発明の手工具装置の斜視図である。
【図２】本発明の手工具装置の詳細を示す平面図である。
【図３】本発明の手工具装置における切替えロッドの斜視図である。
【符号の説明】
【００１６】
１  手工具装置
２  打撃機構組立体
３  動作モード選択スイッチ
４  案内ハンドグリップ
５  モータスイッチ
６  あぶみ状グリップ
７  ロックスイッチ
８  偏心プレート
９  切替えロッド
１０  ストッパ
１６ａ  脚部
１６ｂ  脚部
１７  回旋点
１８  曲折部
１９  薄肉ヒンジ
Ａ  打撃軸線
Ｘ  切替え領域
【図１】
0005221250.tif 000002
【図２】
0005221250.tif 000003
【図３】
0005221250.tif 000004